(57)【要約】【課題】  従来の対向放電構造のパネルは、微小リセット放電が実現できず、コントラスト特性の良好なパネルの実現が困難であった。【解決手段】  第１の電極と第２の電極とが対向するように配置された対向電極構造において、該第１の電極と所定の空間を空けて設けられた該第１の電極のリセット放電のための第１のリセット電極と、該第２の電極と所定の空間を空けて設けられた該第２の電極のリセット放電のための第２のリセット電極と、該第１のリセット電極と該第２のリセット電極それぞれに設けられたリセット回路に対して該第１リセット電極及び該第２のリセット電極とがフローティング状態になるように構成すればよい。【選択図】  図１
2006260861.tif 000002
【特許請求の範囲】
【請求項１】
第１の電極と第２の電極とが対向するように配置された対向電極構造を有するプラズマディスプレイパネルにおいて、
該第１の電極と所定の空間を空けて設けられた該第１の電極のリセット放電のための第１のリセット電極と、
該第２の電極と所定の空間を空けて設けられた該第２の電極のリセット放電のための第２のリセット電極と、
該第１のリセット電極と該第２のリセット電極それぞれに設けられたリセット回路に対して該第１リセット電極及び該第２のリセット電極とがフローティング状態であることを特徴とするプラズマディスプレイパネル。
【請求項２】
請求項１記載のプラズマディルプレイパネルにおいて、
前記フォローティング状態用の変成器を備えることを特徴とするプラズマディスプレイパネル。
【請求項３】
請求項1記載の表示パネルにおいて、
前記第１及び第２の電極と前記第１及び第２のリセット放電のための電極との形状がそれぞれ異なるように構成したことを特徴とするプラズマディスプレイパネル。
【請求項４】
画素がマトリクス状に配置されたプラズマディスプレイパネルにおいて、
前面板と、
該前面板と対向する背面板と、
該前面板と該背面板との間に放電が行われるための放電空間を形成するために配設された隔壁と、
該隔壁と該前面板及び該背面板との間に配設された誘電体と、
該誘電体と該隔壁の間に配設された保護膜と、
該前面板に配設された第1の電極と、
該第１の電極と対向し略平行に配設された第１のリセット電極と、
該背面板に配設された第２の電極と、
該第２の電極と対向し略平行に配設された第２のリセット電極とを備え、
該第１のリセット電極と該第２のリセット電極それぞれに設けられたリセット回路に対して該第１リセット電極及び該第２のリセット電極とがフローティング状態であることを特徴とするプラズマディスプレイパネル。
【請求項５】
請求項４記載のプラズマディスプレイパネルにおいて、
前記第１又は第２の電極に隣接した電極であって、前記放電空間へ引き出されたように構成された突起電極を有し、該突起電極により放電を行うことを特徴とするプラズマディスプレイパネル。
【請求項６】
請求項５記載のプラズマディスプレイパネルにおいて、
前記突起電極のそれぞれの形状が異なるように構成されたことを特徴とするプラズマディスプレイパネル。
【請求項７】
画素がマトリクス状に配置されたプラズマディスプレイパネルにおいて、
光の出力方向に配置された前面板と、
該前面板と対向する背面板と、
該前面板と該背面板との間に放電が行われるための放電空間を形成するために配設された隔壁と、
該隔壁と該前面板及び該背面板との間に配設された誘電体と、
該誘電体と該隔壁の間に配設された保護膜と、
該前面板に配設された第1の電極と、
該第１の電極と対向し略平行に配設された第２の電極と、
該背面板に配設された第３の電極と、
該第３の電極と対向し略平行に配設された第４の電極とを有し、
該第２の電極と該第４の電極の基準電位が、グランドではなく該第２の電極と該第４のリセット電極それぞれに設けられたリセット回路の基準電位であることを特徴とするプラズマディスプレイパネル。
【請求項８】
請求項１乃至７いずれかに記載のプラズマディスプレイパネルを搭載したプラズマディスプレイ表示装置。
【発明の詳細な説明】
【技術分野】
【０００１】
本発明は、対向放電構造のＡＣ型プラズマディスプレイパネルに係わり、特にリセット放電を確実に行う電極構造に関するものである。
【背景技術】
【０００２】
現在、フラットパネルディスプレイ（以下、「ＦＰＤ」と省略する）が急速に普及しており、ＦＰＤの中でもプラズマディスプレイパネル（以下、「ＰＤＰ」と省略する）は大画面化が容易であるため、大型薄型テレビの代表としての期待も大きい。
【０００３】
ＰＤＰの構造は、主にＸ及びＹ電極が直交し対向する電極面の間の空間で放電を行う対向放電構造と、発光の放電を光の出る前面板のみで行う面放電構造との２種類がある。例えば、特許文献１には対向放電構造について開示されており、特許文献２には面放電構造について開示されている。
【０００４】
また、特許文献２には、リセット放電による黒浮きの問題を改善するために微小リセット放電を用いる技術が提案されている。
【０００５】
【特許文献１】特開２００１−１０１９７３号公報
【特許文献２】特開２０００−２６７６２５号公報
【発明の開示】
【発明が解決しようとする課題】
【０００６】
しかしながら、上記特許文献などには、対向放電構造のパネルにおけるリセット放電を微小リセット放電で実現することや、微小リセット放電でコントラスト特性の劣化を防止するなどについて一切考慮されていない。
【０００７】
さらには、対向放電セルに前述の微小リセット放電を適用すべくゆっくりと上昇するリセット電圧を印加しても、放電が一気に起こり、微小リセット放電が従来の対向放電パネルでは、実現できないことに出願人は誠意研究の末気付いたが、上記文献にはこの点に関しても一切考慮されていない。
【０００８】
対向放電の場合、特許文献１に記載の如く、電極間距離が面放電に比べて大きくなる（面放電の電極間距離は５０〜１００μｍ程度に対し、ここで考えている対向放電の電極間距離は２００〜５００μｍ程度となる）。また、さらに放電電極が放電空間内で平行平板電極の配置を取って、向かい合う構造となる。そのため、対向放電構造パネルでは、一度放電が始まると、放電を抑えるものがなく、一気に大きな放電に達すると考えられる。
【０００９】
本発明は、上記した事情に鑑みて成されたもので、その目的は、微小リセット放電が適用できる電極構造を有する対向放電構造のＡＣ型プラズマディスプレイパネルに最適なリセット回路を提供することにある。
【課題を解決するための手段】
【００１０】
微小リセット放電が実現できている面放電の電極構造を対向放電に適用し、微小リセット放電を実現する電極構造とする。すなわち、放電開始電圧に達し、電極で放電が始まり気体粒子の電離が始まった瞬間に、電極に壁電荷として付着させ、それ以上に大きな放電に成長しない電極構造とし、それを駆動するための駆動回路で電極間電圧をゆっくり上昇させるリセット回路と併用すれば実現できる。前記リセット回路は、サステイン駆動パルスに対しフローティング状態の構成にする。
【発明の効果】
【００１１】
本発明の適用により、対向放電構造パネル特有の良好な明室コントラスト特性や、放電距離を大きく取れることによるパネルの発光効率を高く出来る性質を活かしたまま微小リセット放電が実現できる。その結果、黒浮きを最小に抑えることが出来るため、高効率・高画質なプラズマディスプレイパネルを提供できる。
【発明を実施するための最良の形態】
【００１２】
以下、本実施例を実現するための最良の形態を具体的に図を用いて説明する。なお、図面の中で、同じ物を示す場合は同じ番号を付す。
【実施例１】
【００１３】
図１は、本実施例を示す対向放電構造ＡＣ型ＰＤＰのセルおよびリセット回路を搭載したパネル駆動部も含めたの構成図で、光の出てくる方向（前面板側）から見た図である。
図１のように、表示画素がマトリクス状に配置されている場合を想定する。
【００１４】
以下、本実施例による微小リセット放電が可能な電極構造を備えた対向放電構造とそれに接続されるリセット回路に関して述べる。なお、放電用の空間（以下、「放電空間」と称する）での放電により紫外線を発生させ、紫外線で蛍光体を励起して発光させるという基本的な原理については、通常の面放電構造ＡＣ型ＰＤＰと同様であるので、その説明は省略する。
【００１５】
図１において、各セルで発光した光を取り出す前面板１には、複数のＹ電極３と、各Ｙ電極３にほぼ平行に近接して配置されて対を成す複数のＹリセット電極４（各Ｙリセット電極４は共通に接続されている）を配置する。なお、前面板に配設された各電極は従来と同様に低抵抗のバス電極（以下、電極符号に添え字２を付して示す）と抵抗値が大きい透明電極（以下、電極符号に添え字１を付して示す）とからなる。
【００１６】
前面板１に対向する背面板２には、Ｙ電極３およびＹリセット電極４と直交するように、複数のＸ電極５と、各Ｘ電極５にほぼ平行に近接して配置されて対を成す複数のＸリセット電極６（各Ｘリセット電極６は共通に接続されている）を配置する。すなわち、ＸおよびＹの電極のみであれば、一般に知られている対向放電構造パネルと同じであるが、図１では、Ｙ電極３とほぼ同一平面状で、かつ平行にＹリセット電極４が配置され、Ｘ電極においても、Ｘ電極５とほぼ同一平面状にかつ平行にＸリセット電極６が配置されていることが特徴である。なお、各電極は後述する誘電体や保護膜で覆われている点においては従来と同様である。
【００１７】
以上のように構成されたＰＤＰにおいて、Ｙ電極駆動回路７を構成する複数のスキャン駆動回路１７が各Ｙ電極３にそれぞれ対応して接続され、Ｘ電極駆動回路８を構成する複数の駆動回路１８が各Ｘ電極５にそれぞれ対応して接続されている。また、それぞれのＹリセット電極４，Ｘリセット電極６には緩やかな傾斜で電圧を上昇させるリセット回路９ａ，９ｂが接続されている。また、リセット回路９ａ，９ｂの他方端側は各スキャン駆動回路１７，駆動回路１８に接続されている。詳細は後述するが、リセット時には、リセット回路９ａ（９ｂ）のリセット電圧は一方は各スキャン駆動回路１７（駆動回路１８）を介して各Ｙ電極３（Ｘ電極５）に印加され、他方は各Ｙリセット電極４（Ｘリセット電極６）に印加される。そして、各Ｙ電極，Ｙリセット電極対間およびＸ電極，Ｘリセット電極対間で微小リセット放電が行われる。
【００１８】
図２は、図１のＡ部を光の出てくる方向（前面板側）から見た前面板１の拡大図である。図２においては、実際は前面板１で覆われているため、Ｙ透明電極３１及びＹリセット透明電極４１等は直には露出しないのであるが、通常前面板１が透明であるため、便宜上露出するように記載している。前面板１の各Ｙ透明電極３１，Ｙリセット透明電極４１の放電空間側（セル側）には、Ｙバス電極３２，Ｙバスリセット電極４２がほぼ平行に配置されている（後述する図４参照）。放電する領域である放電空間１０は図で示すように略円筒形（後述する図３，図４参照）をしており、各放電空間１０内にそれぞれＹ電極３を構成するＹ透明電極３１と、Ｙリセット電極４を構成するＹリセット透明電極４１が配置されている（以下、説明を容易とするため、便宜上これらの放電空間１０内の透明電極を特に「突起電極」と称する）。なお、図示してないが、前面板１と同様に、対向する背面板２にも、Ｙ電極３，Ｙリセット電極４と直交する形で、各放電空間１０内に突起電極を有するＸ電極５，Ｘリセット電極６が配置されていることは言うまでもない。但し、Ｘ電極５の突起電極およびＸリセット電極６の突起電極は、光が透過しないので透明電極とする必要はない（透明にすれば、パネルの裏表から見ることもできる）。
【００１９】
図３は、図２のＤ１−Ｄ１線に沿った断面図である。図３において、前面板１と背面板２の間に放電空間１０を形成するための隔壁１５が挿入されたような形で配設されている。放電空間（放電セル）１０は略円筒形である。しかし、特にこれに限定するものではなく、光の取り出し効率、製造上の制約からすり鉢状になっても何ら問題がない。要は、Ｘ、Ｙの電極で効率良く放電するための空間が確保されていれば良い。
【００２０】
隔壁１５の壁面には蛍光体１６が塗布されており、放電で生じた紫外線を可視光に変換し、前面板１を通して出力される。このため、前面板１側の電極の一部は前述のように透明電極で形成しなければならないが、背面板２側のＸ電極５については光を透過させる必要がないため、電極の一部を透明とする必要はない。反対にＸ電極５、Ｘリセット電極６を覆う誘電体１３ｂの可視光反射率は大きい方が光の取り出し効率は増加する。なお、前面板１側にＹ電極３，Ｙリセット電極４を覆うようにつけられる誘電体１３ａは光透過率が大きく透明性の高いものであるほうが良いことは言うまでもない。なお、本発明によるパネルもＡＣ型であるため、前面板、背面板側どちらの誘電体も、放電によるイオンスパッタの影響を軽減するために保護膜１４で覆われている。
【００２１】
図４は、図２のＤ２−Ｄ２線に沿った断面図である。Ｄ１−Ｄ１線に沿った断面とは９０度回転しているために、ＸおよびＹ電極の見え方が異なる以外は図３と基本的に同じであり、その説明を省略するが、本図から、対を成すＹ電極３とＹリセット電極は、従来と同様それぞれ低抵抗のバス電極と抵抗値が大きい透明電極とからなることは明らかであろう。
【００２２】
図５は、放電空間（セル）内の突起電極形状の詳細図を示したもので、その突起電極形状は使用目的にあわせて最適な形状とすればよい。なお、図５では、前面板１に配置されるＹ電極，Ｙリセット電極の突起電極形状を示したが、背面板２に配置されるＸ電極，Ｘリセット電極の突起電極も同形状であり、Ｙ電極，Ｙリセット電極と直交する形態で配置されていることは言うまでもない。
【００２３】
次に、本実施例の動作原理を説明する前に、対向放電におけるリセット放電の重要性について説明する。そもそもＡＣ型ＰＤＰにおいてリセット放電の必要性は、下記の理由によると考えられている。
（１）パネル内にある数多くの放電セルの放電開始条件をそろえる機能（それぞれの電極に付着する壁電荷の量で調整している）。
（２）リセット放電の後に続くアドレス放電やサステイン放電が、安定に行われるための予備放電としての機能（セルは一度放電をしており、荷電粒子がセル内に存在するため、それらが次の放電では種火として働くため、放電が容易となる）。
【００２４】
これら（１），（２）の機能を満足すれば、リセット放電の強さや方法には関係なくＰＤＰとしての動作は可能であるが、前述のように黒浮きが生じ、コントラスト特性が左右される。それ故に、リセット放電は、見る人の目には可能な限り弱い放電とする必要がある。このため、前述のように一般にはリセット電圧を徐々に増加させ、放電を開始するセルのばらつきを利用し、放電を時間的及び場所的に分散させることで、人間の目には弱いリセット放電に見せている（放電自体も弱くする必要があり、それぞれの放電は、微小放電とする必要がある）。これを実現するには、各セルで微小リセット放電を安定に行わせる必要がある。
【００２５】
ところで、面放電構造で微小リセット放電が実現できるのは、次の理由による。すなわち、面放電構造の場合は、電極間距離が小さい上に、電極間での電界の強さが対向する先端部のみがもっとも強く、電極面全体で平行・均一電界を形成していない。そのため、放電開始電圧に達した部位で放電が開始されると、気体の電離が始まった瞬間に、反対の電荷をもった荷電粒子が電極に付着することで壁電荷を形成し、電極に印加された電圧による電界を打ち消すように働く。従って、大きな放電には至らず、微小リセット放電が実現できると考えられる。なお、面放電構造の場合でも、リセット電圧の印加時間を短くし、かつ急激に印加すると、微小リセット放電は起こらずに、一気に大きな放電に移行することは良く知られていることである。
【００２６】
そこで、本実施例では、対向放電構造で微小リセット放電を実現するために、各面板の電極構造に面放電の電極構造（略平行な２つのストライプ電極で構成される電極対構造）を適用した。すなわち、図２，図３，図５から明らかなように、対向電極の構造を面放電の電極構造とし、面放電電極の同一面内における２つの電極の一方をリセット電極として用いる。ここでいう、「同一面内」というのは厳密に同一面上にある必要はなく、実質的に同一面上に近い状態で配設されていればよい。図２，図５ではＹ電極側についてのみ記載したが、Ｘ電極側も同様に構成すればよいことは説明するまでもない。
【００２７】
以下、本実施例の動作原理の具体的な動作について図５を用いて説明する。微小リセット放電を行わせるためにＹ電極３（電位的にはＹ突起電極３１も同じ）とＹリセット電極４（電位的にはＹリセット突起電極４１も同じ）の間に印加するリセット電圧を徐々に増加させる。これは、リセット回路９aで行う。この一連の操作は対向するＸ電極側でも行うが、説明を簡単にするためにＹ電極側についてのみ説明する。
【００２８】
リセット回路９aで発生するリセット電圧が、Ｙ突起電極３１とＹリセット突起電極４１の間で徐々に上昇し電極間の放電開始電圧を超えると、両方の突起電極の先端部で微小な放電が始まる。放電が始まると、放電空間１０内に挿入された気体は電離をはじめ、電荷を帯びることになる。電極間には印加されたリセット電圧に応じた強さの電界が生じており、荷電粒子は電界にしたがって牽引され電極に付着する。
【００２９】
本実施例で示した構造のパネルはＡＣ型であり、電極に付着した荷電粒子は、絶縁体である誘電体をはさんだ形で電極の近傍に付着し、電極から出る電界を打ち消す作用を示す。このため、印加電圧がさらに上昇しても放電が始まれば荷電粒子が発生し、その荷電粒子が電極からの電界を打ち消すため、大きな放電には移行しない。
【００３０】
このため、大きな放電には移行せずに、電極にはそれぞれのセルに応じた壁電荷が付着し、セルの特性の差は補正され、リセットの期間が終了する。この間、どのセルにおいても大きな放電は起こらずに十分な壁電荷を電極に付着できるため、次の放電の時には、この電荷が種火として働き、放電が容易に実現できる。
【００３１】
この一連の動作は、対向するＸ電極側でも同様に起こっており、微小なリセット放電が実現でき、黒浮きの低減が可能となり、コントラスト特性の劣化などが防止できる。また、上記のように構成することで、隔壁１５に塗布された蛍光体１６の放電による劣化を防ぐことができ、対向型ＰＤＰの寿命を長くすることにも貢献する。更に、放電空間１０をすり鉢状に構成することで、コントラストを維持しつつ視野角をも広くすることができ非常に都合がよい。
【００３２】
なお、リセット放電の次の放電時には、Ｘ電極５，Ｙ電極３それぞれに、交互にプラス，マイナスの電圧をＸ，Ｙ電極駆動回路８，７から印加するが、放電の初期はＹ突起電極３１、Ｙリセット突起電極４１についた片方の荷電粒子が使われる（Ｘ電極側においても同様）ため、壁電荷全部を使う一般の放電に対し不利な点はあるが、動作上は問題ない。サステイン放電のように、繰り返しが連続しておこなわれる場合は、壁電荷は一瞬にして平均化され、通常のパネルにおける放電とまったく同様の放電が持続できる。
【００３３】
また、図５に示した突起電極形状は一例であり、電極面積や電極形状を変え、放電特性を制御することでパネルの特性を変える応用も考えられる。勿論この場合、パネルの形状や目的、印加電圧に合わせて最適化すればよい。例えば、六角形状等の多角形や半円状形あるいは、多角形や円形等を組み合わせた形条等でもよい。また、リセット電圧の印加する電圧方向についても、一連の放電のシーケンスを考慮し決定すればよい。
【００３４】
一般には、一放電あたりの放電の強さは、印加電圧の大きさによるが、放電電極の面積や誘電体の厚さなどにも大きく関係するので、パネルの目的に合わせて、最適な設計をすればよい。
【００３５】
図６は本実施例による駆動回路に関し、さらに具体的に記載したものである。Ｙ電極関連のみについて記載したが、Ｘ電極についても同様であるので省略する。図６において、Ｙ電極駆動回路７は一般にはＩＣで構成されており、ＩＣ内部に含まれる各Ｙ電極３を駆動するそれぞれのスキャン駆動回路を１７で示した。スキャン駆動回路１７の出力部の具体例としては、出力回路部１７ａで示すような回路構成が一般的である。出力回路部１７ａの出力素子は、図６ではＩＧＢＴ（Insulated Gate Bipolar Transistor）で示したがＭＯＳＦＥＴ（Metal Oxide Semiconductor Field Effect Transistor）で構成しても良い。
【００３６】
リセット回路９ａの出力の一方はＹリセット電極４に接続され、リセット回路９ａのもう一方の出力はＹ電極駆動回路７の仮想ＧＮＤ側に接続されており、サステイン駆動回路２５に対してフローティング状態で接続されているＹ電極駆動回路７のスキャン駆動回路１７を通して、Ｙ電極３とＹリセット電極４間つまりＹ突起電極３１とＹリセット突起電極４１間にのこぎり波状、あるいは鈍波形状のリセット電圧が印加される。リセット回路９ａは、フローティングさせるために、例えばトランス（変成器）９ａ２で構成され、一次側のリセット信号９ａ１がトランス９ａ２で２次側に誘起される。なお、コンデンサ９ａ３はサステイン期間に供給される高周波信号のサステインパルスを通過させるためのものである。なお、上記では、フローティング状態を実現するために、トランスを用いることを想定したが、これに限定されるものではなく、電気信号を光信号に変換して仮想絶縁状態を作り出す方式を採用しても構わない。
【００３７】
また、Ｅｃで示した電源２０はスキャン駆動回路１７の動作を保障するためのものであり、シャーシや大地のグランド（ＧＮＤ）には直接つながっていない仮想グランドに接続されるフローティング電源で構成される。このように基準電位をグランドではなく、リセット電極の電位を基準にしてフローティング状態を構成することにより、リセット回路からのノイズ等の影響をなくすことができる。
【００３８】
以下、図６を用いて動作を説明する。リセット回路９ａで傾斜の緩やかなリセット電圧を発生させる。このリセット電圧はＹリセット突起電極４１に印加され、放電開始電圧に達したときに微小な放電が生じ、壁電荷が形成され放電が停止する。壁電荷の量は、セルの放電開始電圧によってセルごとに異なり、壁電荷の量により、セルのばらつきが補正されることになる。これがすなわちリセット動作である。
【００３９】
また、リセット放電を生じたときに、Ｙリセット突起電極４１からＹ突起電極３１に電流が流れ、スキャン駆動回路１７を通してリセット回路９ａに戻る。この時、スキャン駆動回路１７の出力回路部１７ａから明らかなように、出力回路部１７ａの下段の素子が導通状態となるようにロジック的に制御すればよい。制御を行うためには、制御入力端子１９から制御信号を加えれば実現できるが、制御入力端子１９にはスキャン制御信号も加えるのが一般的である。
【００４０】
発光放電の期間（サステイン期間）では、サステイン駆動回路２５から矩形波が出力され、スキャン駆動回路１７を通してセルのＹ突起電極３１に印加される。印加されたサステインパルスは、セルの対向面にあるＸ突起電極との間で発光放電を起し、セルは明るく光ることになる。
【００４１】
このとき、サステインパルスの周波数はリセットパルスの周波数よりもはるかに高いので、リセット回路９ａに周波数選択機能を持たせることにより（つまり、コンデンサ９ａ３を設けて）、リセットパルス発生には影響を与えずにリセット回路９ａの中をサステインパルスが通ることができ、Ｙリセット透明電極４１にもサステインパルスを印加することができる。
【００４２】
この時、Ｙリセット突起電極４１にサステインパルスを印加したくなければ、リセット回路９ａに高周波信号を阻止するフィルタを形成することにより実現できる。すなわち、透過的に電極面積を変えることにより、サステイン放電の強さを変えることもできる。
【００４３】
以上の動作は、Ｘ電極のある背面板２についても同様であり、説明は省略する。
【００４４】
ちなみに、アドレス・スキャン放電は、ＸとＹの電極間で行われるため、特に説明は行わない。
【００４５】
以上述べたように、本実施例によれば、各面板の電極構造に面放電の電極構造を適用する（即ち、リセット電極を設ける）ことにより、対向放電構造で微小リセット放電を実現できる。従って、黒浮きを最小に抑えることが出来るため、開口部が小さいことによる対向放電構造パネル特有の良好な明室コントラスト特性や、放電距離を大きく取れることによるパネルの発光効率を高く出来る性質を活かしながら、高効率・高画質なプラズマディスプレイパネルを提供できる。
【００４６】
また、微小リセット信号を発生させるリセット回路をサステイン駆動回路に対してフローティング状態としているため、サステイン動作時においては、リセット回路は何ら障害とはならず、表示特性に影響を与えることもない。
【００４７】
なお、本実施例では、リセット回路９ａの一方の出力をＹ電極駆動回路７の仮想ＧＮＤ側に接続したが、電源電圧Ｖｃｃ側に接続しても動作は可能である。
【００４８】
上記実施例に限らず，その要旨を逸脱しない範囲内で種々変形して実施することが可能である。更に、上記実施の形態には種々の発明が含まれており、開示される複数の構成要件における適宜な組み合わせにより種々の発明が抽出され得る。例えば、実施の形態に示される前構成要件からいくつかの構成要件が削除されても、発明が解決しようとする課題の欄で述べた課題が解決でき、発明の効果の欄で述べられている効果が得られる場合には、この構成要件が削除された構成が発明となるのは言うまでもない。
【産業上の利用可能性】
【００４９】
一般家庭用のテレビのみならず、産業用の大型表示板にも適用可能である。
【図面の簡単な説明】
【００５０】
【図１】本実施例を示す対向放電構造ＡＣ型ＰＤＰのパネル構成およびリセット回路を含むシステムの構成図。
【図２】図１のＡ部を光の出てくる前面板側から見たパネル前面部のセル拡大図。
【図３】図２のＤ１−Ｄ１線に沿った断面図。
【図４】図２のＤ２−Ｄ２線に沿った断面図。
【図５】放電空間内の電極部拡大図。
【図６】電極駆動回路、リセット回路構成の１例。
【符号の説明】
【００５１】
１  前面板、２  背面板、３  Ｙ電極、４  Ｙリセット電極、５  Ｘ電極、６  Ｘリセット電極、７ Ｙ電極駆動回路、８  Ｘ電極駆動回路、９  リセット回路、１０  放電空間、１３  誘電体、１４ 保護膜、１５ 隔壁、１６ 蛍光体、１７ スキャン駆動回路、 １８ 駆動回路、２５  サステイン駆動回路
【図１】
2006260861.tif 000003
【図２】
2006260861.tif 000004
【図３】
2006260861.tif 000005
【図４】
2006260861.tif 000006
【図５】
2006260861.tif 000007
【図６】
2006260861.tif 000008